(57)【特許請求の範囲】
【請求項１】
閉ループ状の枠体の表面に張材を張設するとともに、前記枠体の外周面における裏面寄りの部分に、椅子の他の部材と連結するための突部を設け、椅子の座または背凭れとして使用する椅子用張材の張設構造において、
前記枠体における前記突部より表面側の部分に切込みを設け、この切込みに、嵌合部材を嵌合して取付け、前記枠体における前記突部より表面寄りの外周面と、前記嵌合部材の外周面とに、張材の周縁部を嵌合して止着する凹溝を設けたことを特徴とする椅子用張材の張設構造。
【請求項２】
枠体の長手方向を向く切込みの長さを、突部における枠体の長手方向の幅より大とし、かつ嵌合部の長さを、前記切込みの長さとほぼ同一としたことを特徴とする請求項１記載の椅子用張材の張設構造。
【請求項３】
嵌合部材の外周面を、枠体の外周面と連続する面とし、かつ嵌合部材に設けた凹溝と、枠体に設けた凹溝とを連続させた請求項１または２記載の椅子用張材の張設構造。
【請求項４】
凹溝を、枠体及び嵌合部材の外周面から枠体の中央に向かって凹入するものとした請求項１〜３のいずれかに記載の椅子用張材の張設構造。
【請求項５】
枠体及び嵌合部材の外周面における表面寄りの部分に、枠体の長手方向を向く突条を設け、この突条の裏面側に、表面側に凹入する凹溝を設けた請求項１〜３のいずれかに記載の椅子用張材の張設構造。
【発明の詳細な説明】
【技術分野】
【０００１】
本発明は、椅子用張材の張設構造に関する。
【背景技術】
【０００２】
近年、オフィスの執務スペースや会議室等で使用される事務用椅子においては、弾性を有する表皮材、すなわち張材が張設された背凭れによって、着座者の背中を支持するようにしたものが、多くみられるようになっている。この種の椅子の背凭れは、アルミニウムなどの成型しやすい金属や、合成樹脂によって閉ループ状に成型された背枠(枠体)の前面を張材によって覆い、張材の周縁部を背枠の後面または側面の凹溝に係合させることにより、張材を背枠に張設するのが一般的である(例えば、特許文献1参照)。
【０００３】
一方、パイプ材によって形成された脚フレームに、背凭れが連結されたいわゆるカンチレバータイプの椅子も根強い需要を有している。この種の椅子には、脚フレームにおける背凭れとの連結部分に肘掛が設けられているものがある(例えば、特許文献２〜４参照)。
【０００４】
このような肘掛を有する椅子においては、側面視コの字状に形成されたパイプ製の脚フレームの上部における肘掛部の後端に、背枠の中間部が連結されている。なお、座は、脚フレームの前脚の中間に設けられた座支持部によって支持されている。
【先行技術文献】
【特許文献】
【０００５】
【特許文献１】特許第４０６１１６０号公報
【特許文献２】実公平０７−０３７５５２号公報
【特許文献３】特許第４１０８３２２号公報
【特許文献４】特開２００７−２８９７０５号公報
【発明の概要】
【発明が解決しようとする課題】
【０００６】
しかし、従来の肘掛を有するカンチレバータイプの椅子は、背凭れにおける背枠の表面側に突部が設けられ、この突部が脚フレームに連結されているため、張材に突部を貫通させる孔を設けることにより、張材の周縁部を背枠の後面又は側面の凹溝に係合させるものがある。しかし、この場合には、表皮材の孔が露呈するため、体裁が悪くなる。
【０００７】
また、突部を背枠の外側方に突出させ、背枠の凹溝を突部より前方(表面側)に設けるものがある。しかし、この場合には、凹溝を開口させるための金型の抜き方向と、突部を形成するための金型の抜き方向とが交差するため、同じ金型によって一度に成型できなくなる。この場合、成型工程が一工程増えるため、作業が面倒でコストアップになるという問題が発生する。このような問題は、背凭れを脚フレームに連結する場合に限らず、背凭れを座に連結する場合にも同様に発生する。
【０００８】
本発明は、このような従来の課題を解決するためになされたもので、張材を張設した枠体を椅子の他の部材に連結するようにした椅子において、枠体の成型時の型抜きが容易であり、枠体を容易に成形できるだけでなく、張材が緩むのを抑制でき、しかも体裁がよく、コストアップを抑制できるようにした椅子用張材の張設構造を提供することを目的としている。
【課題を解決するための手段】
【０００９】
本発明によると、上記課題は、次のようにして解決される。
(１)閉ループ状の枠体の表面に張材を張設するとともに、前記枠体の外周面における裏面寄りの部分に、椅子の他の部材と連結するための突部を設け、椅子の座または背凭れとして使用する椅子用張材の張設構造において、前記枠体における前記突部より表面側の部分に切込みを設け、この切込みに、嵌合部材を嵌合して取付け、前記枠体における前記突部より表面寄りの外周面と、前記嵌合部材の外周面とに、張材の周縁部を嵌合して止着する凹溝を設ける。
【００１０】
このような構成とすると、枠体における突部より表面側の部分には切込みが設けられているので、この部分の外周面には凹溝を設ける必要がなく、したがって、枠体の外周面に凹溝を形成するための金型の抜き方向と、突部を形成するための金型の抜き方向とが交差することがない。そのため、枠体の成型時の型抜きが容易であり、枠体を、簡単な構造の金型によって、一行程で容易に成型でき、コストダウンを図ることができる。
また、枠体の切込みに、嵌合部材を嵌合して取付け、この嵌合部材の外周面と枠体の外周面とに設けた凹溝に、張材の周縁部を嵌合して止着することにより、枠体における突部の表面側に、張材を、弛むことなく、確実に、しかも体裁よく張設することができる。
さらに、張材には、枠体の突部を貫通させる孔等を設ける必要がないので、張材の強度を保つことができるとともに、体裁をよくすることができる。
【００１１】
(２)上記(１)項において、枠体の長手方向を向く切込みの長さを、突部における枠体の長手方向の幅より大とし、かつ嵌合部の長さを、前記切込みの長さとほぼ同一とする。
【００１２】
このような構成とすると、張材を容易に張設することができる。すなわち、枠体の長手方向を向く切込みの長さを、突部における枠体の長手方向の幅より小とした場合には、切込みに嵌合部材を嵌合させる際に、手が突部に当たって作業が困難になる。それに対して、切込みの長さ及び嵌合部材の長さを突部の長手方向の幅より大とすると、張材を嵌合部材の凹溝に係合させる際に、手が突部に当たるのを回避でき、張材を容易に張設できる。
【００１３】
(３)上記(１)または(２)項において、嵌合部材の外周面を、枠体の外周面と連続する面とし、かつ嵌合部材に設けた凹溝と、枠体に設けた凹溝とを連続させる。
【００１４】
このような構成とすると、嵌合部材の外周面と枠体の外周面とが連続し、体裁をよくすることができ、また、枠体の凹溝と嵌合部材の凹溝とが連続するので、張材の周縁部を、両凹溝に容易に嵌合することができる。
【００１５】
(４)上記(１)〜(３)項のいずれかにおいて、凹溝を、枠体及び嵌合部材の外周面から枠体の中央に向かって凹入するものとする。
このような構成とすると、張材の周縁部を凹溝に確実に嵌合できる。
【００１６】
(４)上記(１)〜(３)項のいずれかにおいて、枠体及び嵌合部材の外周面における表面寄りの部分に、枠体の長手方向を向く突条を設け、この突条の裏面側に、表面側に凹入する凹溝を設ける。
このような構成とすると、張材の周縁部をより確実に枠体に止着することができる。
【発明の効果】
【００１７】
本発明によると、張材を張設した枠体を椅子の他の部材に連結するようにした椅子において、枠体の成型時の型抜きが容易であり、枠体を容易に成形できるだけでなく、張材が緩むのを抑制でき、しかも体裁がよく、コストアップを抑制できるようにした椅子用張材の張設構造を提供することができる。
【図面の簡単な説明】
【００１８】
【図１】本発明の一実施形態を備える椅子の正面図である。
【図２】椅子の側面図である。
【図３】椅子の分解斜視図である。
【図４】枠体の切込みを示す前方斜視図である。
【図５】図１のＶ−Ｖ線拡大横断平面図である。
【図６】図１のVI−VI線拡大縦断側面図である。
【図７】図１のVII−VII線拡大横断平面図である。
【図８】張材の周縁部に縫着した縁材を枠体及び嵌合部材の凹溝に係合する方法を説明する図である。
【発明を実施するための形態】
【００１９】
以下、本発明の一実施形態を、添付図面を参照して説明する。
図１は、本発明の一実施形態を備える椅子の正面図、図２は、同じく側面図である。この実施形態では、椅子の背凭れにおける張材の張設構造に本発明を適用している。
【００２０】
この椅子１は、背凭れ１０と、座１１と、背凭れ１０及び座１１を支持する脚フレーム１２とを有している。背凭れ１０は、図３に示すように、閉ループ状の枠体１３と、この枠体１３の表面１３ａ(図２参照)に張設された張材１４とを有している。枠体１３の両側部の外周面１３ｂにおける裏面１３ｃ寄りの部分には、枠体１３を脚フレーム１２と連結するための左右１対の外向耳片(突部)１５、１５が設けられている。各外向耳片１５の先端には、図４に示すように、前方を向くボス１５ａが設けられている。ボス１５ａには、枠体１３の前方、すなわち表面１３ａ側に向かう有底孔１５ｂが設けられ、有底孔１５ｂの底部には、前後方向を向く貫通孔１５ｃが設けられている。
【００２１】
また、枠体１３の左右両側外面における外向耳片１５より前方の部分には、図３及び図４に示すように、外向耳片１５の基部１５ｄとほぼ等高をなす上下方向の切込み１６、１６が設けられている。
【００２２】
各切込み１６内の上下端付近には、ねじ孔１６ａ、１６ａが前方から設けられている。図５にも示すように、切込み１６における枠体１３の内周面１３ｄ側には、表面１３ａ側に向かって突出する突条１３ｅが設けられている。切込み１６における枠体１３の外周面１３ｂ側は、開放されている。
【００２３】
これらの切込み１６には、図３及び図５に示すように、嵌合部材１７がそれぞれ嵌合されている。各嵌合部材１７は、ねじ孔１６ａに螺合するねじ１８によって枠体１３に取付けられている。嵌合部材１７の表面１７ａ及び外周面１７ｂは、枠体１３の表面１３ａ及び外周面１３ｂと連続している。
【００２４】
図３に示すように、枠体１３の下端部にも、他の部材である座１１に連結するための突部としての前下方を向く下部連結片１９が設けられている。そして、枠体１３の下面(外周面)には、下部連結片１９より表面１３ａ側の部分に、下部連結片１９における枠体１３の長手方向の幅より広い範囲にわたって切込み２０が設けられている。
【００２５】
切込み２０は、切込み１６とほぼ同様である。すなわち、切込み２０内の左右両側には、ねじ孔(図示せず)が設けられている。また、図６に示すように、切込み２０における枠体１３の内周面１３ｄ側には、表面１３ａ側に向かって突出する突条１３ｅが設けられ、枠体１３の外周面１３ｂ側は開放されている。
【００２６】
この切込み２０には、図３及び図６に示すように、嵌合部材２１が嵌合されている。嵌合部材２１は、ねじ２２によって枠体１３に止着されている。嵌合部材２１の表面２１ａ及び外周面２１ｂは、枠体１３の表面１３ａ及び外周面１３ｂと連続している。
【００２７】
図７に示すように、枠体１３はその断面がほぼ四角形に形成されている。この枠体１３の断面形状は、下部側から上部側にかけて徐々に小さくなるように形成されている。なお、枠体１３の内側には、図４に示すように、肉抜き孔１３ｆ及びリブ１３ｇが設けられている。
【００２８】
本実施形態では、図7に示すように、枠体１３の外周面１３ｂにおける外向耳片１５、１５および下部連結片１９より表面１３ａ寄りの部分に、枠体１３の長手方向を向く突条２４が設けられ、この突条２４の裏面１３ｃ側に、長手方向を向く凹溝２３が、後方に向かって開口し、かつ表面１３ａ側に凹入するようにして設けられている。この凹溝２３は、枠体１３の切込み１６、１６、及び切込み２０を除いた全周に設けられている。
【００２９】
また、図５に示すように、嵌合部材１７には、長手方向に延びる凹溝２５が設けられている。ここでは、凹溝２５は枠体１３の凹溝２３と同様に、嵌合部材１７の外周面１７ｂにおける表面１７ａ寄りの部分に、嵌合部材１７の長手方向を向く突条２６が設けられ、この突条２６の裏面１３ｃ側に、後方に向かって開口し、かつ表面１３ａ側に凹入するようにして設けられている。
【００３０】
図６に示すように、嵌合部材２１にも、同様の凹溝２７が設けられている。この凹溝２７は、嵌合部材２１の外周面２１ｂにおける表面２１ａ寄りの部分に、嵌合部材２１の長手方向を向く突条２８が設けられ、この突条２８の裏面１３ｃ側に表面１３ａ側に凹入するようにして設けられている。
【００３１】
図３に示すように、座１１は閉ループ状の枠体２９と、この枠体２９に取付けられた座シェル３０と、座シェル３０に取付けられた座クッション３１と、座クッション３１の表面に被せられて張設された張材３２とを有している。
【００３２】
脚フレーム１２は、図２及び図３に示すように、前方に向かって開口する平面視コの字状のベース脚３３と、このベース脚３３の両前端から上方に延伸する１対の前脚３４、３４と、前脚３４、３４の上端から後方に向かってほぼ水平に延びる肘掛け部３５、３５とを有している。前脚３４、３４の中間部分は、左右方向を向く横杆３６によって連結されている。この横杆３６には、座１１を支持する平面視コの字状の支持部３７が設けられている。また肘掛け部３０、３０には、合成樹脂製の肘当て材３８、３８が設けられている。なお、脚フレーム１２は、強度向上のため一部または全部を二重パイプ構造にするのが好ましい。
【００３３】
図３示すように、枠体１３の外向耳片１５と脚フレーム１２の肘掛け部３５とは、外向耳片１５の丸孔１５ａ(図４参照)、及び脚フレーム１２の肘掛け部３５に挿入されるねじ座３９、４０を介して、ねじ４１によって連結されている。
【００３４】
背凭れ１０の張材１４は、メッシュ材料によって伸縮可能に形成されている。この張材１４の周縁部１４ａは袋状に形成され、その中に縁材４２が挿入されて縫着されている。縁材４２は、弾性を有する合成樹脂製の細長い平板状に形成されている。
【００３５】
次に、この椅子１の組立て方について説明する。図３に示すように、背凭れ１０の枠体１３の表面１３ａ側に張材１４を張設する場合は、枠体１３の切込み１６、１６、及び切込み２０に嵌合部材１７、及び嵌合部材２１を嵌合し、それぞれねじ１８、２２によって止着する。
【００３６】
次に、図８に示すように、周縁部１４ａに縁材４２を縫着した張材１４を、枠体１３の表面１３ａ側に被せた後、図８中に想像線で示すように、張材１４の縁材４２を適度な力で枠体１３の外周面１３ｂから裏面１３ｃ側に引張する。次に、図８中に実線で示すように、縁材４２を凹溝２３、２５、凹溝２７に挿入する。そうすると、縁材４１は、張材１４の張力によって枠体１３の表面１３ａ側に引張される。これによって、縁材４１は凹溝２３、２５、凹溝２７に係合される。従って、張材１４は枠体１３の表面１３ａ側に張設された状態で維持される。
【００３７】
椅子１を廃棄したり、張材１４を交換したりする場合は、ドライバー等の工具(図示略)により、張材１４をつき破って、ねじ１８、２２の頭部に係合し、ねじ１８、２２を抜いて嵌合部材１７、および嵌合部材２１を簡単に取り外すことができる。これにより、張材１４の交換等を簡単に行うことができるとともに、分別廃棄に寄与することができる。
【００３８】
本実施形態の椅子１によれば、枠体１３の外周面１３ｂにおける裏面１３ｃ側に突部としての外向耳片１５及び下部連結片１９を設け、これらの外向耳片１５及び下部連結片１９より表面１３ａ側の部分に設けた切込み１６及び切込み２０に、嵌合部材１７及び嵌合部材２１をそれぞれ嵌合して止着し、さらに、枠体１３の外向耳片１５、下部連結片１９より表面１３ａ寄りの外周面１３ｂと、各嵌合部材１７、２１の外周面１７ｂ、２１ｂとに、それぞれ凹溝２３、２５、２７を設け、これらの凹溝２３、２５、２７に、張材１４の周縁部１４ａに縫着した縁材４２を嵌合して止着するので、枠体１３の外向耳片１５、下部連結片１９を設けた部分にも、張材１４の周縁部１４ａを確実に止着できる。従って、枠体１３に脚フレーム１２または座１１に連結するための外向耳片１５、下部連結片１９を設けた場合でも、枠体１３の外向耳片１５、下部連結片１９に対応する部分に張材１４の周縁部１４ａを確実に係合できるので、張材１４が緩むのを抑制できる。
【００３９】
また、切込み１６、２０を、外向耳片１５、下部連結片１９における枠体１３の長手方向の幅より広い範囲に亘って設けたので、外向耳片１５、下部連結片１９を設けた部分に全体的に張材１４の周縁部４２を確実に係合できる。
【００４０】
また、次に説明するように、張材１４の張り付け作業が容易になる。すなわち、枠体１３の長手方向を向く切込み１６、２０の長さを、外向耳片１５、下部連結片１９における枠体１３の長手方向の幅より小とした場合には、切込み１６、２０に嵌合部材１７、２１を嵌合させる際に、手が外向耳片１５、下部連結片１９に当たって作業が困難になる。それに対して、本実施形態では、枠体１３における切込み１６、２０の長さ、及び嵌合部材１７、２１の長さを外向耳片１５、下部連結片１９の長手方向の幅より大としたので、張材１４を嵌合部材１７、２１の凹溝２５、２７に係合させる際に、手が外向耳片１５、下部連結片１９に当たるのを回避でき、張材１４を容易に張設できる。
【００４１】
張材１４には、枠体１３の外向耳片１５及び下部連結片１９を貫通させる孔を設ける必要がないので、体裁を良好に保持できる。さらに、枠体１３の凹溝２３は、枠体１３の外向耳片１５及び下部連結片１９の近傍には設けられていないので、凹溝２３を形成するために金型を抜く方向と、外向耳片１５及び下部連結片１９を形成するために金型を抜く方向とが交差することはない。従って、同一の金型によって一回の行程で成型できるので、コストダウンが可能になる。
【００４２】
また、嵌合部材１７及び嵌合部材２１の外周面１７ｂ、２１ｂを、枠体１３の表面１３ａ及び外周面１３ｂと連続する面としているので、枠体１３の外向耳片１５及び下部連結片１９の基部を、嵌合部材１７及び嵌合部材２１によって遮蔽できる。さらに、嵌合部材１７及び嵌合部材２１を枠体１３とは別に設けたにも拘わらず、嵌合部材１７及び嵌合部材２１と、枠体１３との境目が露呈されないので、体裁が良好になる。また、枠体１３の凹溝２３と、嵌合部材１７、２１の凹溝２５、凹溝２７とが連続しているので、凹溝２３、２５、２７に止着する張材１４の縁材４１の形状を簡略化できる。
【００４３】
さらに、枠体１３、嵌合部材１７及び嵌合部材２１の各凹溝２３、２５、２７が、枠体１３及び各嵌合部材１７、２１の外周面１３ｂ、１７ｂ、２１ｂから枠体１３の中央に向かって凹入されているので、張材１４の縁材３７を各凹溝２３、２５、２７に確実に止着できる。
【００４４】
各凹溝２３、２５、２７は、枠体１３及び各嵌合部材１７、２１の外周面１３ｂ、１７ｂ、２１ｂにおける表面１３ａ、１７ａ、２１ａ寄りの部分に設けられた枠体１３の長手方向を向く突条２４、２６、２８の裏面側において、表面１３ａ、１７ａ、２１ａ側に凹入しているので、張材１４の縁材４２を各凹溝２３、２５、２７に簡単に挿入できる。
【００４５】
本発明においては、本発明の範囲を逸脱しない範囲で、幾多の異なる形態での実施が可能である。
また、上記の実施形態は、本発明を椅子の背凭れに適用したものであるが、本発明は、その向きや形状を変更するだけで、椅子の座やヘッドレスト等にも適用することができる。
【符号の説明】
【００４６】
１  椅子
１０  背凭れ
１１  座
１２  脚フレーム
１３  枠体
１３ａ  表面
１３ｂ  外周面
１３ｃ  裏面
１３ｄ  内周面
１３ｅ  突条
１３ｆ  肉抜き孔
１３ｇ  リブ
１４  張材
１５  外向耳片(突部)
１５ａ  ボス
１５ｂ  有底孔
１５ｃ  貫通孔
１５ｄ  基部
１６  切込み
１６ａ  ねじ孔
１７  嵌合部材
１７ａ  表面
１７ｂ  外周面
１８  ねじ
１９  下部連結片(突部)
２０  切込み
２１  嵌合部材
２１ａ  表面
２１ｂ  外周面
２２  ねじ
２３、２５、２７  凹溝
２４、２６、２８  突条
２９  枠体
３０  座シェル
３１  座クッション
３２  張材
３３  ベース脚
３４  前脚
３５  肘掛け部
３６  横杆
３７  支持部
３８  肘当て材
３９、４０  ねじ座
４１  ねじ
４２  縁材
【図１】
0005513152.tif 000002
【図２】
0005513152.tif 000003
【図３】
0005513152.tif 000004
【図４】
0005513152.tif 000005
【図５】
0005513152.tif 000006
【図６】
0005513152.tif 000007
【図７】
0005513152.tif 000008
【図８】
0005513152.tif 000009